(57)【要約】【課題】  看護ミスやヒヤリ・ハット情報や事件・出来事は公開されず、、データが共有化されていないために同じようなミスを繰り返す問題があった。【解決手段】  処理装置と個別情報廊下灯と携帯端末からインシデント情報を入力する手段と、入力されたインシデント情報をサーバーにデータベースとして保存する手段と、要求操作することで個人情報として、帳票のワークシートとして、インシデント情報集計表としてインシデント情報を前記処理装置及び前記携帯端末に表示し、プリンタに印刷する手段とを備えた。【選択図】図１
2006277544.tif 000002
【特許請求の範囲】
【請求項１】
処理装置と個別情報廊下灯と携帯端末からインシデント情報（出来事、事件、ヒヤリ・ハットの出来事などを含む情報で、以降インシデント情報と呼ぶ）を入力する手段と、入力されたインシデント情報をサーバーにデータベースとして保存する手段と、要求操作することで個人情報としてインシデント情報を前記処理装置及び前記携帯端末に表示し、プリンタに印刷する手段と、要求操作することで帳票のワークシートとしてインシデント情報を前記処理装置及び前記携帯端末に表示し、前記プリンタに印刷する手段と、要求操作することでインシデント情報集計表として前記処理装置及び前記携帯端末に表示し、前記プリンタに印刷する手段とを備えたことを特徴とする看護支援システム。
【発明の詳細な説明】
【技術分野】
【０００１】
本発明は、病院や介護施設において、看護師や介護士などの医療スタッフに対する看護業務を支援するために使用される看護支援システムに関する。
【背景技術】
【０００２】
患者について、または看護に関連する諸情報や看護記録またはベッド管理などを含む病棟管理を支援する看護支援システムが公知として提案されている。
（提案されている例として特許文献１を参照）
【特許文献１】特開平１１−１５５８２２号公報
【発明の開示】
【発明が解決しようとする課題】
【０００３】
患者に対する記録は、入院時の個人情報、在院履歴や日々のバイタル記録、手術、、検査、与薬、看護の予定・実施記録、看護計画、看護の経過記録、食事の摂取量や尿便の健康状態の記録など多岐に渡る。    また、病棟の管理では、病棟日誌などの記録類、ベッドの稼動管理、看護師の勤務管理、タオルやシーツなどの物品管理、食事管理など多くの管理項目がある。  
看護支援システムは、看護業務全般を支援するシステムである。
【０００４】
患者の情報や病棟情報は、看護師の申し送りや日誌などによりデータが共有化されているが、うっかりして小さな看護ミスやヒヤリ・ハット情報や事件・出来事は公開されず、、データが共有化されていないために同じようなミスを繰り返す問題があった。
【０００５】
本発明は、インシデント情報を看護支援システムに取り入れて、上記の課題を解決することを目的とする。
【課題を解決するための手段】
【０００６】
処理装置と個別情報廊下灯と携帯端末からインシデント情報を入力する手段と、入力されたインシデント情報をサーバーにデータベースとして保存する手段と、要求操作することで個人情報としてインシデント情報を前記処理装置及び前記携帯端末に表示し、プリンタに印刷する手段と、要求操作することで帳票のワークシートとしてインシデント情報を前記処理装置及び前記携帯端末に表示し、前記プリンタに印刷する手段と、要求操作することでインシデント情報集計表として前記処理装置及び前記携帯端末に表示し、前記プリンタに印刷する手段とを備えた。
【発明の効果】
【０００７】
本発明は、  インシデント情報を色々な装置から入力することが出来、発生した場所での入力が可能となるので入力を忘れることが減少すること、  インシデント情報を看護師が共有化することで看護ミスを減らす効果が期待できる。
【発明を実施するための最良の形態】
【０００８】
以下、本発明の一実施形態を図面に基づいて説明する。
図１は、看護支援システムの全体構成を示す。
病棟毎のナースセンタには、看護支援用の処理装置（１）とナースコール親機（３）とナースコール制御機（４）とプリンタ（２）と無線用のアクセスポインタ（１２）等が設置される。
【０００９】
ナースコール制御機（４）から通信線（１３）を介して各病室入り口近傍にある個別情報廊下灯
（５）に接続している。  さらに個別情報廊下灯（５）と病室内のナースコール子機（６）と接続され、ナースコール子機（６）には呼び出しの為に用いる握り押しボタン（７）や  ハンド型子機（８）が繋がる。
【００１０】
看護支援用の処理装置（１）には、無線用のアクセスポインタ（１２）を通して携帯端末（１１）が接続され、データの授受が出来る。  また、看護支援用の処理装置（１）は、看護支援用ＬＡＮ
（ローカル・エリア・ネットワーク）（１４）と接続して、サーバー（９）に保存されている各種のデータベースにアクセスできる。
【００１１】
看護支援用ＬＡＮ（１４）は、ゲートウェイ（１０）を経由して院内ＬＡＮ（１５）にアクセスでき、オーダーエントリシステムや電子カルテシステムの情報をサーバー（９）に取り込むことができる。
【００１２】
インシデント情報を入力できる装置は、病室内では看護師が所持している携帯端末（１１）で入力でき、病棟の廊下では、個別情報廊下灯（５）や携帯端末（１１）で行うことが出来、ナースセンタでは、看護支援用の処理装置（１）で入力できる。    発生場所に近いところで入力できることで、入力忘れを防止できる。
【００１３】
個別情報廊下灯（５）には、液晶表示器とタッチパネルを設けると共にインシデント情報を入力できるプログラムをマイクロコンピュータの記憶部にセットする。
【００１４】
同様に携帯端末（１１）にも液晶表示器とタッチパネルを設けると共にインシデント情報を入力できるプログラムをマイクロコンピュータの記憶部にセットする。
【００１５】
入力されたインシデント情報は、サーバー（９）にデータベースの１つとして保存され、看護支援用の処理装置（１）からの要求時に送られ、処理装置（１）のプログラム処理によって、個人別情報として表示されたり、ワークシートとして表示されたり、インシデント情報一覧表として表示される。    
【００１６】
インシデント情報の画面表示例を図２に示す。  この画面は、表示すると共に入力することも出来る。    入力には入力支援の機能を持たせ、入力を容易に出来る。  例えば、定型の入力文書を選択入力できる。
【００１７】
インシデント情報は、処理装置（１）で見られる他に処理装置から情報を送り、携帯端末（１１）
でも見ることが出来る。
【図面の簡単な説明】
【００１８】
【図１】看護支援システムの全体構成
【図２】インシデント情報の表示例
【符号の説明】
【００１９】
1.           
看護支援の処理装置
2.           
プリンタ    
3.           
ナースコール親機
4.           
ナースコール制御機
5.           
個別情報廊下灯
6.           
ナースコール子機
7.           
握り押しボタン
8.           
ハンド型子機
9.           
サーバー
10.    ゲートウェイ
11.    携帯端末
12.    無線のアクセスポインタ
13.    通信線
14.    看護支援用ＬＡＮ
15.    院内ＬＡＮ
【図１】
2006277544.tif 000003
【図２】
2006277544.tif 000004